(57)【要約】      （修正有）【課題】燃焼度測定装置の除染効率及び作業効率の向上を図るとともに、放射線被曝の低減を図る洗浄装置を提供する。【解決手段】燃焼度測定装置１の上部を吊荷する吊天秤７と、前記吊天秤７に取り付けられ前記燃焼度測定装置１を覆うカバー５と、前記吊天秤７の上部に設けられた洗浄装置１２と、前記洗浄装置１２に接続され前記吊天秤７の下方に延在する複数の噴射パイプ１８と、前記洗浄装置１２に洗浄水を供給する配管１５と、を有する。【選択図】図１
2016148528.tif 000002
【特許請求の範囲】
【請求項１】
燃焼度測定装置の上部を吊荷する吊天秤と、前記吊天秤に取り付けられ前記燃焼度測定装置を覆うカバーと、前記吊天秤の上部に設けられた洗浄装置と、前記洗浄装置に接続され前記吊天秤の下方に延在する複数の噴射パイプと、前記洗浄装置に洗浄水を供給する配管と、を有することを特徴とする燃焼度測定装置の洗浄装置。
【請求項２】
前記複数の噴射パイプの長さを異ならせたことを特徴とする請求項１記載の燃焼度測定装置の洗浄装置。
【請求項３】
前記洗浄水は純水又は燃料プールのプール水であることを特徴とする請求項１又は２記載の燃焼度測定装置の洗浄装置。
【請求項４】
前記請求項１乃至３のいずれかに記載の洗浄装置を用いて、燃料プールの上方で前記燃焼度測定装置を洗浄することを特徴とする燃焼度測定装置の洗浄方法。
【発明の詳細な説明】
【技術分野】
【０００１】
本発明は原子力発電所で使用済となった核燃料の燃焼度を測定する燃焼度測定装置の洗浄装置及び洗浄方法に関する。
【背景技術】
【０００２】
使用済核燃料の燃焼度測定装置を、図３〜図５を参照して説明する。
燃焼度測定装置１は、例えば再処理工場において、複数の核燃料を貯蔵する燃料プール１０に設置されている。核燃料は原子力発電所で発電のために燃焼され、所定の燃焼が終わると廃棄対象となり、原子力発電所の燃料プールにて保管される（図示せず）。
【０００３】
原子力発電所の燃料プールで保管される核燃料は、小規模の燃焼が継続するため、長期間燃料プールで保管されてから再処理工場に運ばれ、再処理工場の燃料プールに保管される。再処理工場では、核燃料の燃焼状態がどの程度かを把握するため燃焼度を測定するが、その測定に燃焼度測定装置１が使用される。
【０００４】
燃焼度測定装置１は測定対象の核燃料を保持する燃料支持部材２と、燃料支持部材２の内部又は外部に取り付けられ核燃料の燃焼度を測定する移動可能な複数の測定装置３と、計装ケーブル４から構成される。燃料支持部材２は、図３に示すように、例えば、長尺のフレーム構造体からなり、中央に測定対象の核燃料が挿通され、測定装置３により燃焼度が測定される。
【０００５】
ところで、核燃料は長期間原子力発電所の燃料プ−ルに保管されていたことから多量のクラッドが付着しており、燃焼度測定装置１を長期にわたって使用すると、使用済の核燃料のクラッドが離脱して燃焼度測定装置１の下部に堆積したり、燃料支持部材２、測定装置３又は計装ケーブル４に付着したりすることで（図示せず）、燃焼度測定装置１が放射能汚染される可能性がある。
【０００６】
そのため、定期的に燃焼度測定装置１を燃料プール１０から気中に引き上げ、保守点検作業を実施しているが、放射能汚染が高い場合には、被曝低減を図るため、燃焼度測定装置１を気中に引き上げる前に、水中で除染作業を行っている。
この水中除染作業には、図４に示すように、核燃料と略同一形状で、内部に噴射ノズルが設けられた洗浄部材２０が用いられている（特許文献１）。
【０００７】
水中除染作業を行う際は、洗浄部材２０は燃焼度測定装置１の内部に挿通され、電源１４によって駆動されるポンプ等を内蔵する洗浄装置１２により、オペフロ１１に設置された洗浄水容器１３内の純水が、ホース等からなる配管１５を介して洗浄部材２０に供給され、噴射ノズル２０ａから純水が周囲に噴射されることで、燃焼度測定装置１の放射能汚染を除染する。
【０００８】
このように、燃焼度測定装置１を気中に引き上げる前に水中除染作業を行っているが、水中除染作業で放射能汚染を十分に除去できない場合には、放射線被曝を軽減するために、図５に示すように、燃焼度測定装置１を気中に引き上げる過程でさらに除染作業を行っている。
【０００９】
燃焼度測定装置１を気中に引き上げる場合には、燃焼度測定装置１が気中で放射性物質の粉塵をまき散らさないため燃焼度測定装置１全体をカバー５で覆い、ワイヤ６により吊天秤７で燃焼度測定装置１を吊下げ保持し、さらに吊天秤７をクレーン８で吊荷して引き上げる。そして、燃焼度測定装置１を引き上げる過程で、燃料プール１０上で作業員が噴射ノズル１７等を用いて手動で燃焼度測定装置１の洗浄を行っている。
【先行技術文献】
【特許文献】
【００１０】
【特許文献１】特開２００６−３１７３９７号公報
【発明の概要】
【発明が解決しようとする課題】
【００１１】
上述したように、燃焼度測定装置１の放射能汚染を除染するために、水中及び気中で燃焼度測定装置１の除染作業を行っているが、現状の気中除染作業は、手動で行われるために、除染効率及び作業効率が低く、また、作業員が放射線被曝を被る可能性があった。
【００１２】
本発明の実施形態は、上記課題を解決するためになされたもので、燃焼度測定装置１の除染効率及び作業効率の向上を図るとともに、放射線被曝の低減を図ることができる燃焼度測定装置の洗浄装置及び洗浄方法を提供することを目的とする。
【課題を解決するための手段】
【００１３】
上記課題を解決するために、本発明の実施形態に係る燃焼度測定装置の洗浄装置は、燃焼度測定装置の上部を吊荷する吊天秤と、前記吊天秤に取り付けられ前記燃焼度測定装置を覆うカバーと、前記吊天秤の上部に設けられた洗浄装置と、前記洗浄装置に接続され前記吊天秤の下方に延在する複数の噴射パイプと、前記洗浄装置に洗浄水を供給する配管と、を有することを特徴とする。
また、本発明の実施形態に係る燃焼度測定装置の洗浄方法は、本発明の実施形態に係る洗浄装置を用いて、燃料プールの上方で燃焼度測定装置を洗浄することを特徴とする。
【発明の効果】
【００１４】
本発明の実施形態によれば、燃焼度測定装置の除染効率及び作業効率の向上を図るとともに、放射線被曝の低減を図ることができる。
【図面の簡単な説明】
【００１５】
【図１】第１の実施形態に係る燃焼度測定装置の洗浄装置の構成図。
【図２】第２の実施形態に係る燃焼度測定装置の洗浄装置の構成図。
【図３】燃焼度測定装置の概略図。
【図４】従来の燃焼度測定装置の水中除染作業例を示す図。
【図５】従来の燃焼度測定装置の気中除染作業例を示す図。
【発明を実施するための形態】
【００１６】
以下、本発明に係る燃焼度測定装置の洗浄装置及び洗浄方法の実施形態について、図面を参照して説明する。
【００１７】
［第１の実施形態］
第１の実施形態に係る燃焼度測定装置の洗浄装置及び洗浄方法を、図１により説明する。なお、従来の燃焼度測定装置の洗浄装置と同一又は類似の構成には同一符号を付し、重複説明を省略する。
【００１８】
（構成）
本実施形態の燃焼度測定装置１は、洗浄装置１２を吊天秤７の上部に設置し、吊天秤７の下方に延在する複数の噴射パイプ１８を設けた構成としている。複数の噴射パイプ１８は、吊天秤７の内部を通って洗浄装置１２に接続されている。なお、図１では測定装置３及び計装ケーブル４を省略している。
【００１９】
また、複数の噴射パイプ１８は、カバー５内の燃焼度測定装置１の全体を洗浄できるように、例えば方形状の吊天秤７の下部に均一に配列される。さらに、複数の噴射パイプ１８は、図１に示すように、燃焼度測定装置１の燃料支持部材２等と干渉しない範囲で、適宜長さを調節することができる。
【００２０】
なお、噴射パイプ１８の先端には、洗浄水をスプレー状に噴射可能な噴射ノズルや配置箇所に応じて径の異なる噴射ノズルを取り付けてもよい（図示せず）。
また、洗浄装置１２をオペフロ１１に設置したままで、配管１５と複数の噴射パイプ１８を接続するようにしてもよい。
【００２１】
（作用）
以下、本実施形態の洗浄装置を用いて、気中で燃焼度測定装置１を除染する工程を説明する。
【００２２】
まず、燃料プール１０中の燃焼度測定装置１の上部と吊天秤７をワイヤ６で係合し、吊天秤７を燃焼度測定装置１とともにクレーン８により、燃料プール１０上の気中に吊り上げる。その際、燃焼度測定装置１の大部分は吊天秤７に取り付けられたカバー５により覆われている。
【００２３】
次に、洗浄装置１２を電源１４により駆動し、洗浄水容器１３内の純水を配管１５を介して吸引し、複数の噴射パイプ１８から洗浄水（純水）を噴出させ、燃焼度測定装置１を洗浄する。
【００２４】
（効果）
本実施形態によれば、複数の噴射パイプ１８を、燃焼度測定装置１を吊荷する吊天秤７の下部に配置したことで、洗浄水が噴射力及び重力により、燃焼度測定装置１の上部から下部に向かって広範囲に流下することが可能となるので、燃焼度測定装置１に付着したクラッドや粉塵等の汚染物を、人手を要することなく効率的かつ短時間で除染することができる。
また、除染作業をカバー５内で行い、かつ、遠隔で除染作業を実施するため、作業員の放射線被曝及び環境の放射能汚染を低減させることができる。
【００２５】
［第２の実施形態］
第２の実施形態に係る燃焼度測定装置の洗浄装置及び洗浄方法を、図２により説明する。なお、第１の実施形態に係る燃焼度測定装置の洗浄装置と同一又は類似の構成には同一符号を付し、重複説明を省略する。
【００２６】
第２の実施形態に係る燃焼度測定装置の洗浄装置は、洗浄水としてプール水を用いることを特徴とする。
本実施形態の洗浄装置を用いて燃焼度測定装置１を除染する場合には、図２に示すように、配管１５の一端を燃料プール１０内に挿入し、洗浄装置１２を電源１４により駆動し、プール水を配管１５を介して吸引し、複数の噴射パイプ１８から洗浄水（プール水）を噴出させ、燃焼度測定装置１を洗浄する。
【００２７】
本実施形態によれば、純水の使用量を低減させることができるとともに、プール水を用いることでコストの低減及び装置の簡素化を図ることができる。
【００２８】
以上、本発明の実施形態を説明したが、この実施形態は、例として提示したものであり、発明の範囲を限定することは意図していない。例えば、燃焼度測定装置以外の他の種々の機器の洗浄にも用いることができる。
【００２９】
この新規な実施形態は、その他の様々な形態で実施されることが可能であり、発明の要旨を逸脱しない範囲で、種々の省略、組み合わせ、置き換え、変更を行うことができる。この実施形態やその変形は、発明の範囲や要旨に含まれるとともに、特許請求の範囲に記載された発明とその均等の範囲に含まれる。
【符号の説明】
【００３０】
１…燃焼度測定装置、２…燃料支持部材、３…測定装置、４…計装ケーブル、５…カバー、６…ワイヤ、７…吊天秤、８…クレーン、１０…燃料プール、１１…オペフロ、１２…洗浄装置、１３…洗浄水容器、１４…電源、１５…配管、１６…電源ケーブル、１７…噴射ノズル、１８…噴射パイプ、２０…洗浄部材
【図１】
2016148528.tif 000003
【図２】
2016148528.tif 000004
【図３】
2016148528.tif 000005
【図４】
2016148528.tif 000006
【図５】
2016148528.tif 000007